(57)【要約】【課題】靴釘が靴底から離脱せず、修理コストが低減でき、使用コストが低減でき、靴底を軽量化し、ユーザの負担が低減できるゴルフシューズ用靴底を提供する。【解決手段】軽量であるエチレン−酢酸ビニル共重合体（Ｅｔｈｙｌｅｎｅ−Ｖｉｎｙｌ  Ａｃｅｔａｔｅ  ｃｏｐｏｌｙｍｅｒ；ＥＶＡ）で作製された靴底１０と、粘着面２１と設置面２２を備える布シート２０と、射出成形によって布シート２０の設置面２２を挿通するように設けられ、布シート２０に結合される複数の樹脂靴釘３０を含み、布シート２０の粘着面２１は靴底１０に粘着される。【選択図】図２
0003180530.tif 000002
【実用新案登録請求の範囲】
【請求項１】
靴底（１０）と、粘着面（２１）と設置面（２２）を備える布シート（２０）と、
射出成形によって前記布シート（２０）の前記設置面（２２）を挿通するように設けられ、前記布シート（２０）に結合される複数の樹脂靴釘（３０）を含み、前記布シート（２０）の前記粘着面（２１）は前記靴底（１０）に粘着されることを特徴とするゴルフシューズ用靴底。
【請求項２】
更に、複数の滑止片（４０）を含み、複数の前記滑止片（４０）は、射出成形によって前記布シート（２０）の前記設置面（２２）を挿通するように設けられ、前記布シート（２０）に結合されることを特徴とする、請求項１に記載のゴルフシューズ用靴底。
【請求項３】
前記靴底（１０）は、軽量であるエチレン−酢酸ビニル共重合体（ＥＶＡ）で作製されることを特徴とする、請求項１又は請求項２に記載のゴルフシューズ用靴底。
【考案の詳細な説明】
【技術分野】
【０００１】
本考案は、靴底に関し、特に、ゴルフシューズ用靴底の樹脂靴釘の固定構造に関するものである。
【背景技術】
【０００２】
ゴルフはスキルを要する運動であり、その運動の強度はあまり高くない。アップダウンのある地形に生えた芝生上の歩行や、クラブのスイングを行う程度であるから、青少年からお年寄りまで幅広い層の人々が気軽にやることができ、最も普及している運動の一つである。しかし、芝生を歩行中に靴底が芝生をしっかりと掴めない場合には、滑って倒れる危険性があり、特にお年寄りや骨粗鬆症の患者が滑って倒れると、骨折等のひどい怪我をする恐れがある。
【０００３】
芝生を歩行中に滑って倒れることを防止するために、従来から市販されているゴルフシューズは、靴底に靴釘が複数設けられ、これらの靴釘により靴底の芝生を掴む力を増加でき、芝生を歩行中に滑って倒れることを防止できる。
【０００４】
従来のゴルフシューズは、靴底内に釘台（ｒｅｃｅｐｔａｃｌｅ）が設けられ、釘台は金属製又は樹脂製であり、釘台を収容するために、靴底は一定以上の厚さを有することが必要であるが、重量が更に重くなってしまうという点に問題である。
【０００５】
多くの従来のゴルフシューズは、釘台がゴム製の靴底内に設けられているが、ゴム製の靴底は重量が重いので、ユーザに大きな負担となる。従来のゴルフシューズの中には、釘台がＴＰＵ製の靴底内に設けられているものも存在する。しかし、ＴＰＵ製の靴底では硬すぎて着用時に快適ではないという問題がある。
【０００６】
従来の金属製又は樹脂製の靴釘の底部は、靴底に螺着し、又はホゾ構造によって靴底に固定するため、ゴルフシューズを着用して長時期に歩行すると、靴釘が緩み脱落する問題がある。すなわち、ゴルフのプレイ中に靴釘が緩み脱落しやすい。このように、新しい靴釘を購入して補充することが必要であるため、極めて不便である。
【０００７】
一方、靴釘が緩み脱落すると、ゴルフシューズの靴底の芝生を掴む力が低下するが、ユーザが靴釘の脱落に気づかない場合、芝生を歩行中に滑って倒れる危険性がある。この問題を解決するために、ゴルフのプレイ後には、ゴルフシューズの靴釘を検査して、靴釘をねじ込み、又は無くなった靴釘を補充することが必要である。そしてゴルフのプレイ前に、各靴釘のロッキングの程度を検査することも必要である。
【０００８】
また、各靴釘のロッキングの程度を検査するときには、スパイクレンチ（ｓｐｉｋｅ  ｗｒｅｎｃｈ）を利用することが必要であるため、極めて面倒であり、修理コストも増加する。そして従来のゴルフシューズは、釘台が靴底内に設けられるため、重量が減少できず、製造コストも低減できないのが問題である。
【考案の概要】
【考案が解決しようとする課題】
【０００９】
本考案の主な目的は、靴釘が靴底から離脱せず、修理コストが低減でき、使用コストも低減できるゴルフシューズ用靴底を提供することにある。
本考案の次の目的は、靴底を軽量化し、ユーザに軽量で快適なゴルフシューズ用靴底を提供することである。
【課題を解決するための手段】
【００１０】
本考案のゴルフシューズ用靴底によると、靴底１０と、粘着面２１と設置面２２を備える布シート２０と、射出成形によって布シート２０の設置面２２を挿通するように設けられ、布シート２０に結合される複数の樹脂靴釘３０を含み、布シート２０の粘着面２１は靴底１０に粘着されることを特徴とする。
【００１１】
本考案のゴルフシューズ用靴底によると、更に、複数の滑止片４０を含み、複数の滑止片４０は、射出成形によって布シート２０の設置面２２を挿通するように設けられ、布シート２０に結合されることを特徴とする。
【００１２】
本考案のゴルフシューズ用靴底によると、靴底１０は軽量であるエチレン−酢酸ビニル共重合体（ＥＶＡ）で作製されることを特徴とする。
【考案の効果】
【００１３】
本考案のゴルフシューズ用靴底によれば、次のような効果がある。
（１）樹脂靴釘は、射出成形によって布シートに成形されるため、布シートと樹脂靴釘の結合性が強固であり、ゴルフをやっているときにユーザの歩行による振動や衝突があっても、樹脂靴釘が靴底から離脱されない。
【００１４】
（２）樹脂靴釘は、軽量であるエチレン−酢酸ビニル共重合体（ＥＶＡ）で作製された軽量EVA靴底に直接に結合されるため、靴底から離脱できず、これにより、靴底を補充することによる面倒及びコストが発生しない。
【００１５】
（３）樹脂靴釘の寿命はエチレン−酢酸ビニル共重合体で作製された靴底の寿命とほぼ同じであるため、樹脂靴釘が磨耗による損壊が発生すると、靴底もほぼ損壊する。このように、ゴルフシューズ自体を捨てることになるため、ゴルフシューズを修理する必要がない。
【００１６】
（４）金属製の靴釘を使用しないため、釘台を設ける必要がない。このように、ゴルフシューズの重量が有効に減少できる。従来のゴルフシューズの一つの靴底の重量は約２００〜３５０グラムであるが、本考案のゴルフシューズの一つの軽量EVA靴底の重量は約８０〜１２０グラムであるため、ユーザの着用時の負担を有効に軽減できる。
【図面の簡単な説明】
【００１７】
【図１】従来のゴルフシューズ用靴底の構造を示す模式図である。
【図２】本考案のゴルフシューズ用靴底の構造を示す模式図である。
【図３】本考案のゴルフシューズ用靴底の構造を示す正面図である。
【考案を実施するための形態】
【００１８】
以下、本考案の実施の形態を図面に基づいて説明する。
図２及び図３を参照する。図２は本考案のゴルフシューズ用靴底の構造を示す模式図であり、図３は本考案のゴルフシューズ用靴底の構造を示す正面図である。本考案のゴルフシューズ用靴底は、軽量ＥＶＡにより作製された靴底１０と、布シート２０と、複数の樹脂靴釘３０を含む。布シート２０は、繊維布、平織り物、又は不織布などを採用する。布シート２０は、粘着面２１と、設置面２２と、を有する。複数の樹脂靴釘３０は、射出成形によって布シート２０の設置面２２を挿通するように設けられ、布シート２０に結合される。靴底の形状に切断された布シート２０の粘着面２１は、靴底１０に粘着される。
【００１９】
本考案のゴルフシューズ用靴底は、更に、複数の滑止片４０を含む。複数の滑止片４０は、射出成形によって布シート２０の設置面２２を挿通するように設けられ、布シート２０に結合される。複数の滑止片４０により、布シート２０を強固化することができる。
【産業上の利用可能性】
【００２０】
本考案は、ゴルフシューズに適用することができる。
【符号の説明】
【００２１】
１０  靴底
２０  布シート
２１  粘着面
２２  設置面
３０  樹脂靴釘
４０  滑止片
【図１】
0003180530.tif 000003
【図２】
0003180530.tif 000004
【図３】
0003180530.tif 000005